(57)【要約】ユーザのコレクションからのセレクションから求められるプレイリストをユーザのコレクションの範囲外からのセレクションにより拡大するプレイリスト生成システム及び方法が構成される。ユーザのコレクションと外部ソースの両方が、ユーザの嗜好に適合するエンターテイメントアイテムについて検索され、結果として得られるプレイリストは、ユーザのコレクションと外部ソースの両方からのマテリアルを合成したものを含む。ユーザには、外部ソースからのプレイリストに含まれるべきマテリアルの比率を指定する選択肢が与えられる。外部ソースからのマテリアルが購入費用を要求する場合、好ましくは、マテリアルの視聴又は評価する機会が与えられた後、ユーザには当該マテリアルを購入する選択肢が与えられる。
2007524120.tif 000002
【特許請求の範囲】
【請求項１】
プレイリスト生成装置を有するシステムであって、
前記プレイリスト生成装置は、
ユーザのアイテムのコレクションから複数のアイテムと、１以上の他のアイテムのソースから１以上の新しいアイテムを選択するよう構成されるセレクタと、
前記複数のアイテムと１以上の新しいアイテムからプレイリストを生成するよう構成されるミキサと、
を有し、
前記セレクタは、前記ユーザの嗜好に基づき前記複数のアイテムと１以上の新しいアイテムを選択するよう構成され、
前記ユーザのアイテムのコレクションは、前記１以上の新しいアイテムを有しない、
ことを特徴とするシステム。
【請求項２】
請求項１記載のシステムであって、さらに、
前記ユーザのアイテムのコレクションを有することを特徴とするシステム。
【請求項３】
請求項１記載のシステムであって、さらに、
前記プレイリストに特定されるアイテムをレンダリングするよう構成されるレンダリング装置を有することを特徴とするシステム。
【請求項４】
請求項１記載のシステムであって、さらに、
前記１以上の新しいアイテムのそれぞれの選択的購入を容易にするよう構成される購入モジュールを有することを特徴とするシステム。
【請求項５】
請求項１記載のシステムであって、
前記セレクタは、以前に選択された新しいアイテムの識別を格納するよう構成されるメモリを有し、
前記１以上の新しいアイテムは、前記識別に基づき前記以前に選択された新しいアイテムを除外する、
ことを特徴とするシステム。
【請求項６】
請求項１記載のシステムであって、さらに、
前記ユーザの１以上の一般的嗜好に基づき、前記１以上の他のアイテムのソースからソースアイテムの一部を生成するよう構成される推奨モジュールを有し、
前記セレクタは、前記ソースアイテムの一部から前記１以上の新しいアイテムを選択する、
ことを特徴とするシステム。
【請求項７】
請求項１記載のシステムであって、
前記１以上の他のアイテムのソースは、インターネットアクセスを介しアクセス可能であることを特徴とするシステム。
【請求項８】
請求項１記載のシステムであって、
前記ミキサは、前記ユーザが前記アイテムのコレクションから前記複数のアイテムに関する前記新しいアイテムの相対的な比率を制御することを可能にするよう構成されることを特徴とするシステム。
【請求項９】
請求項１記載のシステムであって、
前記セレクタはさらに、前記１以上の新しいアイテムの各新しいアイテムの人気に基づき、前記１以上の新しいアイテムを選択するよう構成されることを特徴とするシステム。
【請求項１０】
請求項１記載のシステムであって、
当該システムはさらに、前記１以上の新しいアイテムの各新しいアイテムを前記アイテムのコレクションに選択的に追加することを容易にするよう構成されることを特徴とするシステム。
【請求項１１】
請求項１０記載のシステムであって、さらに、
以降の選択を容易にするため、前記アイテムのコレクションに選択的に追加される各新しいアイテムに関する補助的情報を格納するよう構成されるメモリを有することを特徴とするシステム。
【請求項１２】
プレイリストを生成する方法であって、
ユーザのアイテムのコレクションから、前記ユーザの嗜好に基づき複数のアイテムを選択するステップと、
前記ユーザの嗜好に基づき、１以上の他のアイテムのソースから１以上の新しいアイテムを選択するステップと、
前記プレイリストを提供するため、前記複数のアイテムと前記１以上の新しいアイテムとを合成するステップと、
を有し、
前記１以上の新しいアイテムは、前記ユーザの前記アイテムのコレクションのアイテムから除外されることを特徴とする方法。
【請求項１３】
請求項１２記載の方法であって、さらに、
前記プレイリストの前記アイテムをレンダリングするステップを有することを特徴とする方法。
【請求項１４】
請求項１２記載の方法であって、さらに、
前記１以上の新しいアイテムのそれぞれの選択的購入を可能にするステップを有することを特徴とする方法。
【請求項１５】
請求項１２記載の方法であって、さらに、
以前に選択された新しいアイテムの識別を格納するステップを有し、
前記１以上の新しいアイテムは、前記以前に選択された新しいアイテムから除外される、
ことを特徴とする方法。
【請求項１６】
請求項１２記載の方法であって、さらに、
前記ユーザの１以上の一般的嗜好に基づき、前記他のアイテムのソースからソースアイテムの一部を生成するステップを有し、
前記１以上の他のアイテムのソースから１以上の新しいアイテムを選択するステップは、前記ソースアイテムの一部から前記１以上の新しいアイテムを選択することを特徴とする方法。
【請求項１７】
請求項１２記載の方法であって、さらに、
前記複数のアイテムに関して新しいアイテムの好ましい比率を決定するステップを有し、
前記プレイリストを提供するため、前記複数のアイテムと前記１以上の新しいアイテムとを合成するステップは、前記好ましい比率に基づく、
ことを特徴とする方法。
【請求項１８】
請求項１２記載の方法であって、
前記１以上の新しいアイテムを選択するステップはさらに、前記１以上の新しいアイテムの各新しいアイテムの人気に基づくことを特徴とする方法。
【請求項１９】
請求項１２記載の方法であって、さらに、
前記１以上の新しいアイテムの各新しいアイテムを前記アイテムのコレクションに選択的に追加するステップを有することを特徴とする方法。
【請求項２０】
請求項１９記載の方法であって、さらに、
以降の選択を容易にするため、前記アイテムのコレクションに選択的に追加される各新しいアイテムに対応する補助的情報を格納するステップを有することを特徴とする方法。
【発明の詳細な説明】
【技術分野】
【０００１】
本発明は、エンターテイメントシステムの分野に関し、より詳細には、ユーザのマテリアルコレクションに含まれるセレクションと、ユーザのコレクションの範囲外のセレクションからプレイリストを提供するプレイリスト生成装置に関する。
【背景技術】
【０００２】
プレイリストは、曲、映像、マルチメディアセグメントなどのエンターテイメントセレクションの一部を、対応するレンダリング装置又はシステムを介した以降のレンダリングのため規定する。
【０００３】
プレイリスト生成装置は、プレイリストの生成を容易にする。従来、プレイリスト生成装置は、一組のユーザ嗜好を受け付け、当該嗜好セットをマテリアルコレクションに適用し、嗜好セットを満たすコレクション内のセレクションを特定する。異なるプレイリストを生成するため、ユーザは当該嗜好を変更し、この変更された嗜好セットをプレイリスト生成装置に提供する。
【０００４】
参照を容易にするため、「プレイリストはアイテムを含む」というフレーズ又は同様のフレーズは、以降において、プレイリストが当該アイテムの識別子を有し、そこから、レンダリング装置がそのコンテンツのレンダリングのため記録されたアイテムにアクセス可能であるということを意味すると理解される。また参照を容易にするため、本発明は、曲のプレイリストを生成するプレイリスト生成装置に関して提供される。当業者は、ここで提供される原理がプレイリスト処理されるマテリアルのタイプから独立していることを認識するであろう。
【０００５】
一般に、プレイリスト生成装置は、マテリアルコレクションの利用可能な各アイテムとユーザ嗜好セットとの間の対応の指標を評価し、与えられた閾値を超える対応指標を有するコレクションのアイテムを特定する。加重平均、ルールベースシステム、ニューラルネットワークなどを含む各種技術が、各アイテムの特性と与えられたユーザ嗜好との間の対応の指標を提供し、最善の対応指標を有するものを特定するのに利用可能である。
【０００６】
典型的には、ユーザは、様々な状況においてプレイリスト生成装置を利用する。ユーザは、ユーザのエンターテイメントマテリアルのコレクションの一部を生成するため、プレイリスト生成装置を利用するかもしれない。例えば、ユーザは、ユーザの音楽コレクションからのセレクションを介し夕食用の音楽、ロマンティックな音楽、折衷的な音楽などのプレイリストを生成するかもしれない。状況が保証するとき、ユーザはその後に、ユーザのコレクションからのプレイリストの特定されたマテリアルをレンダリングするため、自らのホームエンターテイメントシステムに適切なプレイリストを提供する。ユーザはまた、プレイリスト生成装置を用いて、インターネットラジオ局などの配信ソースからカスタマイズされた曲のリストを生成するかもしれない。ユーザはまた、プレイリスト生成装置を利用して、インターネットベースベンダーなどの商業ソースからの購入のため、カスタマイズされた曲アルバムを生成するかもしれない。
【０００７】
一般に、プレイリストを生成するための上記状況のそれぞれは、互いに独立している。ユーザコレクションから生成されたプレイリストは、インターネットラジオ局や商業ベンダーサイトから利用可能なマテリアルから独立し、インターネットラジオ局や商業ベンダーサイトから生成されるプレイリストは、ユーザコレクションからのマテリアルを有するものであってもよいし、そうでなくてもよい。例えば、インターネットラジオ局からの楽曲リストは、特にユーザの音楽の好みが一貫する場合、ユーザの音楽コレクションに含まれる曲をしばしば含み、ユーザのコレクションは実効性のあるものとなる。多数の例において、ユーザがインターネットラジオ局にチューニングする理由は、ユーザがまだ有していない音楽を聴くことである。一部のインターネットラジオ局のプレイリスト生成装置はユーザがプレイリストに含まれるべき「新しい音楽」の比率を特定することを可能にするが、「新しい音楽」の定義は、典型的には、「Ｒａｄｉｏ  ａｎｄ  Ｒｅｃｏｒｄ（Ｒ＆Ｒ）」マガジンなど、「認められたソースによってはまだ格付けされていない最近リリースされた音楽」である。例えば、参照することによりここに含まれる、２００１年１２月１９日に出願されたＳｏｌｏｍｏｎらによる米国特許出願第２００２／０１３８６３０号「ＭＵＳＩＣ  ＳＥＬＥＣＴＩＯＮ  ＡＬＧＯＲＩＴＨＭ」を参照されたい。他方、商業サイトからの楽曲コレクションの購入を容易にするのに構成されるプレイリスト生成装置は、しばしばユーザの以前の購入を考慮し、購入プレイリストからユーザへの便宜としてユーザが現在所有すると知られているマテリアルを排除するよう構成される。ユーザにはまた、購入プレイリストにアイテムを手動により削除する選択肢が与えられ、余計なマテリアルの購入を回避するため、すでに所有されているアイテムを典型的に削除する。
【発明の開示】
【発明が解決しようとする課題】
【０００８】
本発明の課題は、ユーザのコレクションからのエンターテイメントアイテムの選択をユーザのコレクションの範囲外からのアイテムの選択と一体化するプレイリスト生成装置を提供することである。本発明のさらなる課題は、ユーザのコレクションからのセレクションのレンダリングから新しいエンターテイメントセレクションのサンプリングを容易にすることである。本発明のさらなる課題は、ユーザのコレクションへの追加のため、新たなアイテムの購入を容易にすることである。
【課題を解決するための手段】
【０００９】
上記及び他の課題は、ユーザのコレクションからのセレクションから求められるプレイリストをユーザのコレクションの範囲外からのセレクションにより拡大するプレイリスト生成システム及び方法によって達成される。ユーザのコレクションと外部ソースの両方が、ユーザの嗜好に適合するエンターテイメントアイテムについて検索され、結果として得られるプレイリストは、ユーザのコレクションと外部ソースの両方からのマテリアルを合成したものを含む。ユーザには、外部ソースからのプレイリストに含まれるべきマテリアルの比率を指定する選択肢が与えられる。外部ソースからのマテリアルが購入費用を要求する場合、好ましくは、マテリアルの視聴又は評価する機会が与えられた後、ユーザには当該マテリアルを購入する選択肢が与えられる。
【００１０】
以下において、図面と共に利用されるとき、上述の特徴及び効果を他の特徴及び効果と共に示す本発明の例示的な実施例が記載される。
【００１１】
当該図面は、例示のためのものであり、本発明の範囲を限定するものではない。
【発明を実施するための最良の形態】
【００１２】
図１に示されるように、プレイリスト生成装置１００は、ユーザのマテリアルコレクション１８０と共に、典型的にはインターネットなどのネットワーク１２０を介し１以上の他のマテリアルソース１１０からマテリアルを選択するよう構成されるセレクタ１５０を有する。セレクタ１５０は、ユーザのコレクション１８０と他のソース１１０から一組のユーザ嗜好１４５に基づきマテリアルを選択肢、当該セレクションをミキサ１６０に提供する。ミキサ１６０は、ユーザがプレイリスト１７０に含めるため、ユーザコレクション１８０と他のソース１１０のそれぞれからマテリアルの相対的な比率を調整することを可能にするよう構成される。個別のエンティティとして示されているが、理解を容易にするため、ミキサ１６０が典型的にはセレクタ１５０と同一の機能モジュールにより実現されることを当業者は認識するであろう。任意的には、プレイリスト生成装置１００はまた、プレイリスト１７０に特定されるマテリアルをレンダリングするレンダリング装置１９０を有してもよく、あるいは、プレイリスト１７０は、独立したレンダリングシステムに設けられてもよい。
【００１３】
セレクタ１５０は、当該技術分野において通常の技術を利用して、ユーザの嗜好１４５に基づきユーザのコレクションとソース１１０からマテリアルを選択する。典型的には、ユーザの嗜好１４５は、一般に、当該ユーザのすべてのプレイリストと共にあるプレイリストの特定の嗜好に影響を及ぼす一般的な嗜好又は好みを含む。例えば、ユーザの好みは、ロックンロール音楽、カントリーウェスタン音楽を含み、ヘビーメタルとジャズを除外するものであるかもしれない。あるプレイリストのユーザの具体的な嗜好はさらに、夕食用の音楽、ロマンティックな音楽、ダンス音楽などの特定の雰囲気を提供するため、又は女性ボーカリスト、バラードなどの聴取嗜好又はユーザの現在の気分に対応するためのさらなる精緻化を含むかもしれない。
【００１４】
典型的には、ユーザのコレクション１８０は、ユーザの一般的な好みを反映するが、ソース１１０はそうではない。任意的には、以降において推奨装置１３０と呼ばれるプレセレクタが、セレクタ１５０が選択するソース１１０からのマテリアルのより小さなサブセット１４０を提供するため、ユーザの一般的な好み１３５に基づきソース１１０からマテリアルを予め選択するのに設けられてもよい。参照することによりここに含まれる、Ｆａｂｉｏ  ＶｉｇｎｏｌｉとＳｔｅｆｆｅｎ  Ｐａｕｗｓらによる係属中の米国特許出願「ＨＩＥＲＡＲＣＨＩＣＡＬ  ＰＬＡＹＬＩＳＴ  ＧＥＮＥＲＡＴＯＲ」は、一般的な好みなどの時間不変的嗜好と、ユーザの気分又は意図する雰囲気などの時間又はイベント依存的嗜好に基づき、セレクタの階層的構成を介し達成可能なコヒーレンシの効果を開示する。このような推奨装置１３０が、ユーザの好み１３５に基づきソース１１０から利用可能なマテリアルを予めフィルタリングするのに使用される場合、ユーザの嗜好１４５はこれらの一般的な好みを含む必要はなく、特定のプレイリスト１７０のユーザの嗜好を単に反映するよう構成することができる。ミキサ１６０に関して上述されたように、当業者は、推奨装置１３０とセレクタ１５０が共通のセレクタモジュールに含めることができるということを認識するであろうが、任意的な推奨装置１３０は理解の簡単化のためセレクタ１５０から独立したエンティティとして示されている。
【００１５】
ミキサ１６０は、プレイリスト１７０に含められるべき新しい曲のリクエストされた比率に基づき、ユーザコレクション１４０とソース１１０の両方からのセレクションを組み合わせる。ここで、新しい曲とは、ユーザコレクション１８０に現在存在しない曲として定義される。任意的に、ミキサ１６０は、以前のプレイリストに含まれていた新しい曲の記録を維持するよう構成されてもよく、新しい曲の定義は、ユーザがそのような曲をユーザコレクション１８０に追加したか否かに関係なく、以前のプレイリスト１７０に以前に含まれていた曲を除外するよう拡張される。ユーザが、例えば、新しい曲の所望の比率として１０％を選択する場合、ユーザコレクション１８０からの９曲ずつに対して、約１曲の新しい曲がプレイリスト１７０に含められる。プレイリスト１７０の新しいマテリアルは、当該新しいマテリアルの有無をユーザに警告するため、ハイライトされるか、あるいはプレイリスト１７０の他のマテリアルと区別されるようにしてもよい。
【００１６】
ソース１１０からのマテリアルが無料レンダリングについて利用可能である場合、ミキサ１６０は単にそれを、当該マテリアルに関するＵＲＬ（Ｕｎｉｖｅｒｓａｌ  Ｒｅｓｏｕｒｃｅ  Ｌｏｃａｔｏｒ）アドレスなど、アイテムを位置決定する適切な識別子を付してプレイリスト１７０に追加する。任意的には、ミキサ１６０は、マテリアルの遅延のないレンダリングを容易にするため、ユーザのシステムへのマテリアルのプレダウンロードを開始するよう構成することが可能であり、ダウンロードされたマテリアルのターゲット一をプレイリスト１７０に格納する。
【００１７】
ソース１１０からのマテリアルが関連する購入費用又はライセンス費用を有する場合、プレイリスト生成装置１００の動作は、プロテクトされたマテリアルの未許可のレンダリングを禁止するのに利用されるコピープロテクションスキームに依存するであろう。例えば、２００１年１１月６日に付与されたＪｏｈａｎｎ  Ｐ．Ｍ．Ｇ．Ｌｉｎｎａｒｔｚによる米国特許第６，３１４，５１８号「ＳＹＳＴＥＭ  ＦＯＲ  ＴＲＡＮＳＦＥＲＲＩＮＧ  ＣＯＮＴＥＮＴ  ＩＮＦＯＲＭＡＴＩＯＮ  ＡＮＤ  ＳＵＰＰＬＥＭＥＮＴＡＬ  ＩＮＦＯＲＭＡＴＩＯＮ  ＲＥＬＡＴＩＮＧ  ＴＨＥＲＥＴＯ」は、プロテクトされたマテリアルがレンダリングされた回数を制御する透かし「チケット」の使用を介して著作権保護マテリアルのプロテクトのための技術を提供し、参照することによりここに含められる。「再生可複製不可」プロテクションスキームなどの他の限定アクセススキームもまた利用されてもよい。マテリアルの少なくも１つの「無料の」レンダリングを許可することによって、ユーザには当該マテリアルを視聴し、ユーザのコレクションへの追加のため当該マテリアルを潜在的に購入する前に、マテリアルを評価する機会が提供される。
【００１８】
任意的には、プレイリスト生成装置１００は、プレイリスト１７０に含められる新しいマテリアルの購入を容易にする「購入」モジュール１５５を有する。本発明の一実施例では、新しいマテリアルがレンダリングされているとき、その後の短い期間について、「購入ボタン」がユーザのシステム上でイネーブルとされる。係属中の米国特許出願「ＭＥＴＨＯＤ  ＡＮＤ  ＳＹＳＴＥＭ  ＦＯＲ  ＰＵＲＣＨＡＳＩＮＧ  ＣＯＮＴＥＮＴ  ＲＥＡＬＡＴＥＤ  ＭＡＴＥＲＩＡＬ」（Ｄｉｓｃｌｏｓｕｒｅ  ７００７９８）は、レンダリングされたコンテンツマテリアルに関するマテリアルの購入を容易にするシステム及び方法を開示し、参照することによりここに含められる。ユーザが、ユーザのコレクション１８０への追加のため当該セレクションを購入することを所望する場合、ユーザは購入ボタンを起動し、システムは、特定されたマテリアルのベンダーにユーザのクレジット番号、電子メールアドレスなどの適切な購入情報を通信する。これに応答して、ベンダーは適切なアクセス及びコピーパーミッションにより当該マテリアルのコピーをユーザに送信するか、あるいは、当該マテリアルのダウンロードされた無料のコピーについて、プロテクション機構をロック解除するためのキーを送信する。
【００１９】
新しいマテリアルに少なくとも１つの無料のレンダリングが設けられていない場合、ユーザにプレイリスト１７０が生成されているとき、この新しいマテリアルの有無が通知されるが、新しいマテリアルの識別子は、ユーザが新しいマテリアルの購入を決定するまで、そして決定しない場合には、プレイリスト１７０に追加されない。一部の例では、新しいマテリアルがユーザの好きなアーティストによって演奏されるとき、ユーザが当該マテリアルに関する好ましい報告を聞いたとき、又は当該タイトルが魅力的にみえ、コストが比較的取るに足らないものであるときなど、当該マテリアルをユーザコレクション１８０に追加する権利を購入するため、ユーザは単に上記参照された購入ボタンを起動するであろう。他の例では、ユーザは、セレクタ１８０により与えられる「情報検出」オプションを起動し、当該マテリアルを購入するかについてのユーザの選択を容易にするため、追加的な情報を受信するようベンダーのサイトに向かうであろう。
【００２０】
任意的には、ユーザが新しいマテリアルをユーザのコレクション１８０に追加することを決定する場合、タイトルやアーティストに加えて、ジャンル、作曲者、他の特徴又はパラメータなど、当該新しいマテリアルに関する補助的情報がまたユーザのシステム１００に提供される。この補助的情報は、当該技術において通常利用される機械学習技術を利用して、以降のセレクションを容易にするため、規定されたユーザの好み１３５と嗜好１５５をさらに規定又は精緻化するため、システム１００又は他のシステムによる以降の利用のため、ユーザのシステム１００のメモリに格納することが可能である。
【００２１】
セレクタ１５０による新しいマテリアルの選択は、ユーザの嗜好に加えて他の基準を含むかもしれないということに留意すべきである。例えば、上述の係属中の米国特許出願「ＨＩＥＲＡＲＣＨＩＣＡＬ  ＰＬＡＹＬＩＳＴ  ＧＥＮＥＲＡＴＯＲ」はまた、ユーザの嗜好と現在の楽曲の人気に基づき、ユーザにセレクションを推奨するシステム及び方法を開示する。ここで、各曲の人気は、与えられた期間中に他のユーザが当該楽曲をリクエストした回数に基づくものである。ある実施例では、本発明のユーザは、プレイリストに含められるべき新しいアイテムの比率を指定し、さらに各新しいアイテムの人気が選択過程において考慮されるべきか指定する。他の決定基準もまた含められてもよい。例えば、上述の米国特許出願第２００２／０１３８６３０号「ＭＵＳＩＣ  ＳＥＬＥＣＴＩＯＮ  ＡＬＧＯＲＩＴＨＭ」は、あるユーザについてセレクションをフィルタリングするのに利用可能な様々な基準を提供し、当該各基準は、プレイリスト１７０に含めるため、ミキサ１６０に提供されるべき新しいマテリアルを選択するため、セレクタ１５０に含めることが可能である。
【００２２】
上記は単に、本発明の原理を示している。従って、当業者は、ここに明示的には記載又は図示されていないが、本発明の原理を実現し、以下の請求項の趣旨及び範囲内に属する各種構成を創出することが可能であると理解されるであろう。
【図面の簡単な説明】
【００２３】
【図１】図１は、本発明による一体化されたプレイリスト生成装置の一例となるブロック図を示す。
【図１】
2007524120.tif 000003
【国際調査報告】
2007524120.tif 000004
2007524120.tif 000005
2007524120.tif 000006